(57)【特許請求の範囲】
【請求項１】
ボウル内に洗浄水を供給する洗浄水供給手段と、前記ボウル内に連通するように設けられ下流端が上下方向に回動自在なトラップ部と、前記トラップ部を駆動する駆動手段と、前記洗浄水供給手段と前記駆動手段とを制御する制御部と、を備え、前記トラップ部の前記下流端が上位置に位置することで前記ボウル内に溜水が貯留され、前記トラップ部の前記下流端が下位置に位置することで前記ボウル内の溜水が排出され、前記トラップ部の前記下流端が前記上位置から前記下位置へ移動する排出動作と前記下位置から前記上位置へ移動する復元動作とが所定の動作で行われる便器装置であって、
前記洗浄水供給手段により前記ボウル内に供給される洗浄水の単位時間当りの流量を検出する流量検出手段と、
計時手段と、
単位時間当りの流量と時間とから積算流量を算出する積算流量算出手段と、
が設けられ、
前記下流端の復元動作のいずれかの時点から前記計時手段により計時された時間と、その間の前記流量検出手段により検知された流量とに基づいて前記積算流量算出手段により洗浄水の供給量が算出され、
前記制御部は、算出された前記供給量が所定の値に達すると前記洗浄水供給手段による洗浄水の供給を停止することを特徴とする便器装置。
【発明の詳細な説明】
【技術分野】
【０００１】
本発明は、回動自在なトラップ部を備えた便器装置に関するものである。
【背景技術】
【０００２】
従来から、ボウル内に洗浄水を供給する洗浄水供給手段と、ボウル内に連通し下流端が上下方向に回動自在なトラップ部と、を備えた便器装置が知られている（例えば特許文献１参照）。
【０００３】
この便器装置では、トラップ部の下流端が上位置に位置している時にボウル内に溜水が貯留され、下流端が下位置に位置することでボウル内の溜水と汚物が排出される。そして、トラップ部の下流端が下位置から上位置へ戻り、再びボウル内に溜水が貯留されるものである。
【先行技術文献】
【特許文献】
【０００４】
【特許文献１】特開２００２−４７７１７号公報
【発明の概要】
【発明が解決しようとする課題】
【０００５】
ところで、従来の便器装置においては、再びボウル内に溜水が貯留されるにあたり、洗浄水供給手段からボウル内に洗浄水が供給されるのであるが、この時、洗浄水が供給されている時間を計測し、その供給時間が所定の値に達すると洗浄水の供給が停止されるものであった。
【０００６】
このため、洗浄水の元圧が変動したりして流量が変動した場合、供給時間が所定の値に達しても設計上の所定量の給水が行われず、溜水が不足したり、無駄に給水されたりする惧れがあった。
【０００７】
本発明は上記従来の問題点に鑑みて発明したものであって、その目的とするところは、洗浄水の流量が変動しても、所定量の給水が行われる便器装置を提供することを課題とするものである。
【課題を解決するための手段】
【０００８】
上記課題を解決するために、本発明は、以下のような構成とする。
【０００９】
本発明の便器装置は、ボウル内に洗浄水を供給する洗浄水供給手段と、前記ボウル内に連通するように設けられ下流端が上下方向に回動自在なトラップ部と、前記トラップ部を駆動する駆動手段と、前記洗浄水供給手段と前記駆動手段とを制御する制御部と、を備え、前記トラップ部の前記下流端が上位置に位置することで前記ボウル内に溜水が貯留され、前記トラップ部の前記下流端が下位置に位置することで前記ボウル内の溜水が排出され、前記トラップ部の前記下流端が前記上位置から前記下位置へ移動する排出動作と前記下位置から前記上位置へ移動する復元動作とが所定の動作で行われる便器装置であって、前記洗浄水供給手段により前記ボウル内に供給される洗浄水の単位時間当りの流量を検出する流量検出手段と、計時手段と、単位時間当りの流量と時間とから積算流量を算出する積算流量算出手段と、が設けられ、前記下流端の復元動作のいずれかの時点から前記計時手段により計時された時間と、その間の前記流量検出手段により検知された流量とに基づいて前記積算流量算出手段により洗浄水の供給量が算出され、前記制御部は、算出された前記供給量が所定の値に達すると前記洗浄水供給手段による洗浄水の供給を停止することを特徴とする。
【発明の効果】
【００１２】
本発明の便器装置にあっては、洗浄水の流量が変動しても、所定量の給水が行われるものである。
【図面の簡単な説明】
【００１３】
【図１】本発明の一実施形態における洗浄動作のタイムチャートである。
【図２】同上において、トラップ部の下端部が各位置にある場合を示し、（ａ）は上位置にある場合の断面図であり、（ｂ）は上上位置にある場合の断面図であり、（ｃ）は下位置にある場合の断面図である。
【図３】同上の制御部に関連する構成のブロック図である。
【発明を実施するための形態】
【００１４】
以下、本発明を図１乃至図３に示す実施形態に基いて説明する。
【００１５】
便器装置は、図２、図３に示すように、便器本体と、洗浄水供給手段２と、回動自在なトラップ部３と、洗浄水供給手段２とトラップ部３の駆動を制御する制御部５と、を備えている。
【００１６】
便器本体は、図２に示すように、ボウル１を備えており、後部に後部外殻となるケース１１が装着され、ケース１１内に洗浄水供給手段２、トラップ部３、制御部５等が収納される。ボウル１の下部の後壁には、トラップ部３に連通する排出口が形成されている。
【００１７】
洗浄水供給手段２は、ボウル１内に洗浄水を供給するもので、図示しないが、水道等の給水源に接続されボウル１に連通する給水路と、給水路の途中に設けられる定流量弁と、電磁弁からなる開閉弁と、を備えている。
【００１８】
トラップ部３は、ボウル１内に連通し、その下流端３１が上下方向に回動自在となるように設けられるもので、モータ等の駆動手段４により駆動される。
【００１９】
制御部５は、マイクロコンピュータからなり、洗浄水供給手段２の開閉弁と駆動手段４とを制御するものである。
【００２０】
また、ボウル１内に洗浄水を供給する際に使用者が操作する洗浄操作部９（図３参照）が設けられている。
【００２１】
本実施形態では、ケース１１が設置される箇所の床面に開口が形成され、トラップ部３から排出される溜水１０や汚物はこの開口を介して排出されるが、床面ではなく壁面に開口が形成されて横引式で排出されてもよく、特に限定されない。
【００２２】
この便器装置の基本的な動作について説明する。
【００２３】
図２（ａ）に示すように、トラップ部３の下流端３１がその回動範囲のうちの上部の所定位置（これを上位置Ｕという）に位置する状態で、封水としての溜水１０が貯留される。溜水１０は、水位が所定の値となるように、所定量が供給されるように設計されるものである。
【００２４】
また、溜水１０に溜まった汚物を排出する場合、図２（ｃ）に示すように、トラップ部３の下流端３１がその回動範囲のうちの下部の所定位置（これを下位置Ｌという）に位置
することで、ボウル１内の溜水１０と汚物とが排出される。
【００２５】
便器装置が使用されていない時には、下流端３１が上位置Ｕにあり、便器装置が使用されてボウル１内に溜まった汚物と溜水１０とが排出される時に、下流端３１が上位置Ｕ（本実施形態は図２（ｂ）に示す上上位置ＵＵであり、後述する）から下位置Ｌへと移動する排出動作が行われる（図１中の時間Ｔ４参照）。排出動作は所定の動作で行われるもので、所定の動作は、一定速度で移動したり、所定のパターンで移動したり、毎回同じ動作が行われればよく、特に限定されない。このため、排出動作にかかる時間は図１に示すように所定の時間Ｔ４となる。なお、この所定の動作は、以下のステップも含めて、制御部５が駆動手段４等に制御信号を送るパターンであり、毎回同じパターンで制御信号を送っても、駆動手段４にかかる負荷等によって、実際の時間にはばらつきが発生する場合がある。そのため、下記のような制御を行うようになっている。
【００２６】
なお、本実施形態においては、排出動作に先立って、図２（ａ）に示す下流端３１が上位置Ｕにある状態から、図２（ｂ）に示す下流端３１が一旦更に上方の所定位置（これを上上位置ＵＵという）に、図１に示す所定の時間Ｔ２かけて移動し、所定の時間Ｔ３保持されるという予備動作が行われる。その後、排出動作が行われるため、本実施形態における排出動作は、下流端３１が上上位置ＵＵから下位置Ｌへ移動する動作となる。
【００２７】
排水動作が終了して下流端３１が下位置Ｌに達してから所定の時間Ｔ５、下位置Ｌを保持する保持動作が行われる。
【００２８】
保持動作の後、下流端３１が下位置Ｌから上位置Ｕへ移動する復元動作が行われる。復元動作は所定の動作で所定の時間Ｔ６かけて行われるもので、所定の動作は、一定速度で移動したり、所定のパターンで移動したり、毎回同じ動作が行われればよく、特に限定されない。
【００２９】
上記排出動作と保持動作と復元動作は、一連の動作として制御部５によりシーケンス制御されるものである。
【００３０】
また、トラップ部３の動作に対応して、洗浄水供給手段２によりボウル１内に洗浄水が供給される。本実施形態では、洗浄操作部９が操作されると洗浄動作が開始され、洗浄水の供給が開始されるが、トラップ部３は、初めの所定時間Ｔ１はトラップ部３が上位置Ｕで保持される。なお、洗浄操作部９が操作されると同時に洗浄水の供給が開始されなくてもよい。
【００３１】
そして、洗浄水供給手段２によりボウル１内に供給される洗浄水の流量が変動した場合でも、復元動作が行われた時に溜水１０として所定量が給水されるように、便器装置には、図３に示すように、流量検出手段６と、計時手段７と、積算流量算出手段８と、が設けられる。
【００３２】
流量検出手段６は、洗浄水供給手段２によりボウル１内に供給される洗浄水の単位時間当りの流量を検出するもので、洗浄水供給手段２の給水路の途中に設けられる。このような流量検出手段６としては、筒状のセンサケース内に羽根車が収納され、センサケースに設けられたホール素子等により羽根の通過数がカウントされて流量が求められる流量センサ等、既存のものが利用可能であって特に限定されず、詳細な説明は省略する。
【００３３】
計時手段７は、本実施形態では制御部５が一機能として備えるものであるが、別に設けられてもよい。
【００３４】
積算流量算出手段８は、単位時間当りの流量と時間とから積算流量を算出するもので、本実施形態では制御部５が一機能として備えるものであるが、別に設けられてもよい。
【００３５】
溜水１０が貯留されるにあたり、制御部５は、排出動作のいずれかの時点から計時手段７による計時を開始する。本実施形態では、図１に示すように所定の時間Ｔ４を要する排出動作が開始された時点で、計時が開始される。
【００３６】
そして、計時手段７により計測された時間と、その間の流量検出手段６により検知された流量とに基づいて、積算流量算出手段８により洗浄水の供給量が算出される。制御部５は、算出された供給量が所定の値に達すると、洗浄水供給手段２による洗浄水の供給を停止する。
【００３７】
この結果、溜水１０の水位は、図２（ａ）の下流端３１の上位置Ｕとなる。仮に、供給量が所定の値を超えている場合には、溜水１０の水位は上位置Ｕが限界であるため、下流端３１より溢れ出て開口より排出されてしまい、水の使用量が増加してしまうものである。また、仮に、供給量が所定の値に満たない場合には、溜水１０の水位は上位置Ｕよりも低い位置となり、溜水１０の量が不足し、場合によっては封水能力が損なわれる惧れがある。
【００３８】
本実施形態では、洗浄水の単位時間当りの流量を直接的に検出し、この流量に基づいて積算流量を算出するため、流量が変動しても、所定量の給水が行われる。
【００３９】
また、図示しないが、所定の時間Ｔ４を要する排出動作が終了した時点で、計時が開始されるようにしてもよく、排出動作のいずれかの時点で計時が開始されるようにしてもよい。また更に、図示しないが、所定の時間Ｔ６を要する復元動作が開始した時点で計時が開始されるようにしたり、復元動作が終了した時点で計時が開始されてもよく、復元動作のいずれかの時点で計時が開始されるようにしてもよい。
【００４０】
すなわち、溜水１０の形成に寄与する洗浄水は、所定の時間Ｔ６が完了するタイミングである、トラップ部３の下流端３１が上位置Ｕに到達するタイミングより少し前に供給された洗浄水も寄与するため、計時の開始は、溜水１０の形成に寄与する洗浄水が供給され始める時点とし、その時点までに供給され溜水１０の形成に寄与せずに排水される洗浄水が積算流量に勘定されないようにするものである。この場合、供給量の所定の値は、図２（ａ）の上位置Ｕにおける溜水１０の量そのものである。しかしながら、溜水１０が所定量形成されるには、必ずしも前記のようになされなくてもよく、例えば、計時の開始を早くしても、排水される洗浄水が積算流量に勘定されるものの、供給量の所定の値を大きくすれば前記所定量の溜水１０の形成が可能である。
【符号の説明】
【００４１】
１    ボウル
１０  溜水
２    洗浄水供給手段
３    トラップ部
３１  下流端
４    駆動手段
５    制御部
６    流量検出手段
７    計時手段
８    積算流量算出手段
Ｕ    上位置
Ｌ    下位置
【図１】
0006029051.tif 000002
【図２】
0006029051.tif 000003
【図３】
0006029051.tif 000004